(57)【特許請求の範囲】
【請求項１】
無線通信システムで，第１ｅＮＢにより、伝送ネットワーク階層（ｔｒａｎｓｐｏｒｔ  ｎｅｔｗｏｒｋ  ｌａｙｅｒ；ＴＮＬ）アドレスを伝送する方法であって、
Ｘ２−ゲートウェイ（Ｘ２−ＧＷ）を通過する、前記第１ｅＮＢと第２ｅＮＢの間の間接Ｘ２インターフェース（ｉｎｄｉｒｅｃｔ  Ｘ２  ｉｎｔｅｒｆａｃｅ）の指示子を受信し、
前記第２ｅＮＢに前記間接Ｘ２インターフェースの前記指示子に基づく前記Ｘ２−ゲートウェイのＴＮＬアドレスを伝送することを含む方法。
【請求項２】
前記間接Ｘ２インターフェースの前記指示子は、ＭＭＥ（ｍｏｂｉｌｉｔｙ  ｍａｎａｇｅｍｅｎｔ  ｅｎｔｉｔｙ）構成伝達メッセージを介して受信される、請求項１に記載の方法。
【請求項３】
前記Ｘ２−ゲートウェイの前記ＴＮＬアドレスは、ｅＮＢ構成伝達メッセージを介して伝送される、請求項１に記載の方法。
【請求項４】
前記第１ｅＮＢと前記第２ｅＮＢの少なくとも一つはＨｅＮＢである、請求項１に記載の方法。
【請求項５】
前記間接Ｘ２インターフェースの前記指示子は、前記Ｘ２−ゲートウェイの前記ＴＮＬアドレスに対応する、請求項１に記載の方法。
【発明の詳細な説明】
【技術分野】
【０００１】
本発明は、無線通信に関し、より詳細には、無線通信システムにおいて指示子を伝送する方法及び装置に関する。
【背景技術】
【０００２】
ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）は、ヨーロッパシステム（Ｅｕｒｏｐｅａｎ  ｓｙｓｔｅｍ）、ＧＳＭ（ｇｌｏｂａｌ  ｓｙｓｔｅｍ  ｆｏｒ  ｍｏｂｉｌｅ  ｃｏｍｍｕｎｉｃａｔｉｏｎｓ）及びＧＰＲＳ（ｇｅｎｅｒａｌ  ｐａｃｋｅｔ  ｒａｄｉｏ  ｓｅｒｖｉｃｅｓ）を基盤としてＷＣＭＤＡ（ｗｉｄｅｂａｎｄ  ｃｏｄｅ  ｄｉｖｉｓｉｏｎ  ｍｕｌｔｉｐｌｅ  ａｃｃｅｓｓ）で動作する３世帯（３ｒｄ  ｇｅｎｅｒａｔｉｏｎ）非同期（ａｓｙｎｃｈｒｏｎｏｕｓ）移動通信システムである。ＵＭＴＳのＬＴＥ（ｌｏｎｇ−ｔｅｒｍ  ｅｖｏｌｕｔｉｏｎ）がＵＭＴＳを標準化する３ＧＰＰ（３ｒｄ  ｇｅｎｅｒａｔｉｏｎ  ｐａｒｔｎｅｒｓｈｉｐ  ｐｒｏｊｅｃｔ）によって議論中である。
【０００３】
３ＧＰＰ  ＬＴＥは、高速パケット通信を可能なようにする技術である。使用者及び供給者の費用減少、サービス品質向上、及びカバレッジとシステム容量の拡張及び向上を含むＬＴＥの目的のために、多くの方式が提案されてきた。３ＧＰＰ  ＬＴＥは、上位階層の要求事項（ｕｐｐｅｒ−ｌｅｖｅｌ  ｒｅｑｕｉｒｅｍｅｎｔ）として、ビット当たり減少された費用（ｃｏｓｔ  ｐｅｒ  ｂｉｔ）、増加したサービス有用性（ｓｅｒｖｉｃｅ  ａｖａｉｌａｂｉｌｉｔｙ）、柔軟な（ｆｌｅｘｉｂｌｅ）周波数の使用、単純な構造、オープンインターフェース及び端末の適切なパワー消費を要求する。
【０００４】
図１は、Ｅ−ＵＭＴＳ（ｅｖｏｌｖｅｄ  ＵＭＴＳ）のネットワーク構造を示す。Ｅ−ＵＭＴＳは、ＬＴＥシステムであるといえる。通信ネットワークは、ＩＭＳ（ＩＰ  ｍｕｌｔｉｍｅｄｉａ  ｓｕｂｓｙｓｔｅｍ）を介してのＶｏＩＰ（ｖｏｉｃｅ  ｏｖｅｒ  ＩＰ）及びパケットデータのような様々な通信サービスを提供するために広範に配置される。
【０００５】
図１に示すように、Ｅ−ＵＭＴＳネットワークは、Ｅ−ＵＴＲＡＮ（ｅｖｏｌｖｅｄ  ＵＭＴＳ  ｔｅｒｒｅｓｔｒｉａｌ  ｒａｄｉｏ  ａｃｃｅｓｓ  ｎｅｔｗｏｒｋ）、ＥＰＣ（ｅｖｏｌｖｅｄ  ｐａｃｋｅｔ  ｃｏｒｅ）、及び１つ以上の端末（ＵＥ；ｕｓｅｒ  ｅｑｕｉｐｍｅｎｔ）を含む。Ｅ−ＵＴＲＡＮは、１つ以上のｅＮＢ（ｅｖｏｌｖｅｄ  ＮｏｄｅＢ；２０）を含むことができ、複数のＵＥ１０は、１つのセル内に位置することができる。１つ以上のＭＭＥ（ｍｏｂｉｌｉｔｙ  ｍａｎａｇｅｍｅｎｔ  ｅｎｔｉｔｙ）／ＳＡＥ（ｓｙｓｔｅｍ  ａｒｃｈｉｔｅｃｔｕｒｅ  ｅｖｏｌｕｔｉｏｎ）ゲートウェイ（Ｓ−ＧＷ）３０がネットワークの最後に位置して、外部ネットワークと連結されることができる。
【０００６】
以下において、「下向きリンク」は、ｅＮＢ２０からＵＥ１０への通信を、「上向きリンク」は、ＵＥ１０からｅＮＢ２０への通信を表す。ＵＥ１０は、使用者により運搬される通信装置を表す。ＵＥは、さらにＭＳ（ｍｏｂｉｌｅ  ｓｔａｔｉｏｎ）、ＵＴ（ｕｓｅｒ  ｔｅｒｍｉｎａｌ）、ＳＳ（ｓｕｂｓｃｒｉｂｅｒ  ｓｔａｔｉｏｎ）、または無線装置（ｗｉｒｅｌｅｓｓ  ｄｅｖｉｃｅ）などと呼ばれることができる。
【０００７】
ｅＮＢ２０は、ＵＥ１０に使用者平面（ｕｓｅｒ  ｐｌａｎｅ）と制御平面（ｃｏｎｔｒｏｌ  ｐｌａｎｅ）の終端点（ｅｎｄｐｏｉｎｔ）を提供する。ＭＭＥ／Ｓ−ＧＷ３０は、ＵＥ１０のためのセッションの終端点と移動性管理機能（ｍｏｂｉｌｉｔｙ  ｍａｎａｇｅｍｅｎｔ  ｆｕｎｃｔｉｏｎ）とを提供する。ｅＮＢ２０とＭＭＥ／Ｓ−ＧＷ３０とは、Ｓ１インターフェースを介して連結されることができる。
【０００８】
ｅＮＢ２０は、一般的にＵＥ１０と通信する固定されたステーションであり、基地局（ＢＳ；ｂａｓｅ  ｓｔａｔｉｏｎ）または接続ポイント（ａｃｃｅｓｓ  ｐｏｉｎｔ）と呼ばれることができる。１つのｅＮＢ２０は、セル別に配置されることができる。使用者トラフィックまたは制御トラフィックを伝送するためのインターフェースがｅＮＢ２０等間に使用され得る。
【０００９】
ＭＭＥは、様々な機能を提供する。ＭＭＥが提供する様々な機能は、ｅＮＢ２０等へのＮＡＳ（ｎｏｎ−ｓｔｒａｔｕｍ  ａｃｃｅｓｓ）シグナリング、ＮＡＳシグナリング保安、ＡＳ保安制御、３ＧＰＰ接続ネットワーク等間の移動性のためのＣＮ（ｃｏｒｅ  ｎｅｔｗｏｒｋ）間ノードシグナリング、アイドルモードＵＥ到達可能性（ｒｅａｃｈａｂｉｌｉｔｙ、ページング再伝送の制御及び実行を含む）、（アイドルモード及び活性モードのＵＥのための）トラッキング領域（ｔｒａｃｋｉｎｇ  ａｒｅａ）リスト管理、ＰＤＮ（ｐｒｏｔｏｃｏｌ  ｄａｔａ  ｕｎｉｔ）ＧＷ、及びサービングＧＷ選択、ＭＭＥが変更されるハンドオーバのためのＭＭＥ選択、２Ｇまたは３Ｇ  ３ＧＰＰ接続ネットワーク等へのハンドオーバのためのＳＧＳＮ（ｓｅｒｖｉｎｇ  ＧＰＲＳ  ｓｕｐｐｏｒｔｉｎｇ  ｎｏｄｅ）選択、ローミング（ｒｏａｍｉｎｇ）、認証（ａｕｔｈｅｎｔｉｃａｔｉｏｎ）、専用ベアラー（ｄｅｄｉｃａｔｅｄ  ｂｅａｒｅｒ）設定を含むベアラー管理機能、ＥＴＷＳ（ｅａｒｔｈｑｕａｋｅ  ａｎｄ  ｔｓｕｎａｍｉ  ｗａｒｎｉｎｇ  ｓｙｓｔｅｍ）とＣＭＡＳ（ｃｏｍｍｅｒｃｉａｌ  ｍｏｂｉｌｅ  ａｌｅｒｔ  ｓｙｓｔｅｍ）を含むＰＷＳ（ｐｕｂｌｉｃ  ｗａｒｎｉｎｇ  ｓｙｓｔｅｍ）メッセージ伝送の支援などを含む。Ｓ−ＧＷホストは、使用者別のパケットフィルタリング（例えば、詳細パケット調査）、合法的な盗聴、ＵＥ  ＩＰ（Ｉｎｔｅｒｎｅｔ  ｐｒｏｔｏｃｏｌ）アドレス割当、ＤＬで伝送レベルパケットマーキング（ｔｒａｎｓｐｏｒｔ  ｌｅｖｅｌ  ｐａｃｋｅｔ  ｍａｒｋｉｎｇ）、ＵＬ及びＤＬサービスレベル課金（ｓｅｒｖｉｃｅ  ｌｅｖｅｌ  ｃｈａｒｇｉｎｇ）、ゲーティング及び等級強制（ｇａｔｉｎｇ  ａｎｄ  ｒａｔｅ  ｅｎｆｏｒｃｅｍｅｎｔ）、ＡＰＮ（ａｃｃｅｓｓ  ｐｏｉｎｔ  ｎａｍｅ）−ＡＭＢＲ（ａｇｇｒｅｇａｔｅｄ  ｍａｘｉｍｕｍ  ｂｉｔ  ｒａｔｅ）を基盤とするＤＬ等級強制などの様々な機能を提供する。以下において、より明確にするために、ＭＭＥ／Ｓ−ＧＷ３０は、簡単にゲートウェイと呼ばれることができるが、ゲートウェイは、ＭＭＥ及びＳ−ＧＷを全て含むものと理解され得る。
【００１０】
複数のノードがｅＮＢ２０とゲートウェイ３０との間のＳ１インターフェースを介して連結され得る。ｅＮＢ２０等は、Ｘ２インターフェースを介して互いに連結されることができる。隣接するｅＮＢ等は、Ｘ２インターフェースを有するメッシュネットワーク構造を有することができる。
【００１１】
図２は、一般的なＥ−ＵＴＲＡＮ及びＥＰＣの構造を示す。
【００１２】
図示されたように、ｅＮＢ２０は、ゲートウェイ３０選択、ＲＲＣ（ｒａｄｉｏ  ｒｅｓｏｕｒｃｅ  ｃｏｎｔｒｏｌ）活性化中のゲートウェイに向けたルーティング（ｒｏｕｔｉｎｇ）、ページングメッセージのスケジューリング及び伝送、ＢＣＣＨ（ｂｒｏａｄｃａｓｔ  ｃｏｎｔｒｏｌ  ｃｈａｎｎｅｌ）情報のスケジューリング及び伝送、ＵＬ及びＤＬでＵＥ１０等に対する資源の動的割当、ｅＮＢ測定の構成及び提供、無線ベアラー（ＲＢ；ｒａｄｉｏ  ｂｅａｒｅｒ）制御、無線許可制御（ＲＡＣ；ｒａｄｉｏ  ａｄｍｉｓｓｉｏｎ  ｃｏｎｔｒｏｌ）、及びＬＴＥ＿ＡＣＴＩＶＥ状態で連結移動性制御の機能を行うことができる。前述したように、ＥＰＣにおいてゲートウェイ３０は、ページング開始（ｏｒｉｇｉｎａｔｉｏｎ）、ＬＴＥ＿ＩＤＬＥ状態管理、使用者平面の暗号化（ｃｉｐｈｅｒｉｎｇ）、ＳＡＥベアラー制御、及びＮＡＳシグナリングの暗号化及び保護を行うことができる。
【００１３】
図３は、Ｅ−ＵＭＴＳのための使用者平面プロトコルスタックと制御平面プロトコルスタックとを示す。
【００１４】
図３（ａ）は、使用者平面プロトコルを示すブロック図であり、図３（ｂ）は、制御平面プロトコルを示すブロック図である。図示されたように、プロトコル階層は、通信システムの技術分野においてよく知られた開放型システム間相互接続（ＯＳＩ；ｏｐｅｎ  ｓｙｓｔｅｍ  ｉｎｔｅｒｃｏｎｎｅｃｔｉｏｎ）標準モデルの３個の下位階層を基盤として第１のレイヤＬ１、第２のレイヤＬ２、及び第３のレイヤＬ３に区分されることができる。
【００１５】
物理階層（ｐｈｙｓｉｃａｌ  ｌａｙｅｒ）、すなわち、Ｌ１は、物理チャネルを利用して上位階層に情報伝送サービスを提供する。物理階層は、伝送チャネル（ｔｒａｎｓｐｏｒｔ  ｃｈａｎｎｅｌ）を介して上位レベルに位置したＭＡＣ（ｍｅｄｉｕｍ  ａｃｃｅｓｓ  ｃｏｎｔｒｏｌ）階層と連結される。ＭＡＣ階層と物理階層との間のデータは、伝送チャネルを介して伝達される。互いに異なる物理階層間、すなわち、伝送側の物理階層と受信側の物理階層との間でデータは物理チャネルを介して伝達される。
【００１６】
Ｌ２のＭＡＣ階層は、論理チャネル（ｌｏｇｉｃａｌ  ｃｈａｎｎｅｌ）を介して上位階層であるＲＬＣ（ｒａｄｉｏ  ｌｉｎｋ  ｃｏｎｔｒｏｌ）階層にサービスを提供する。Ｌ２のＲＬＣ階層は、信頼性のあるデータの伝送を支援する。図３（ａ）及び図３（ｂ）にＲＬＣ階層が図示されているが、ＲＬＣ機能がＭＡＣ階層によって実現されて実行されるならば、ＲＬＣ階層は不要なこともある。Ｌ２のＰＤＣＰ（ｐａｃｋｅｔ  ｄａｔａ  ｃｏｎｖｅｒｇｅｎｃｅ  ｐｒｏｔｏｃｏｌ）階層は、ＩＰｖ４またはＩＰｖ６などのＩＰパケットを導入して伝送されるデータが相対的に小さい帯域幅を有する無線インターフェース上に効率的に伝送され得るように、不要な制御情報を減らすヘッダ圧縮機能を行う。
【００１７】
Ｌ３の最も低い部分に位置するＲＲＣ階層は、制御平面のみで定義され、ＲＢ等の構成、再構成、及び解除に対して論理チャネル、伝送チャネル、及び物理チャネルを制御する。以下において、ＲＢは、ＵＥとＵＴＲＡＮとの間のデータ伝送のためにＬ２によって提供されるサービスを意味する。
【００１８】
図３（ａ）に示すように、ＲＬＣ階層及びＭＡＣ階層（ネットワーク側上においてｅＮＢ２０で終了）は、スケジューリング、ＡＲＱ（ａｕｔｏｍａｔｉｃ  ｒｅｐｅａｔ  ｒｅｑｕｅｓｔ）及びＨＡＲＱ（ｈｙｂｒｉｄ  ＡＲＱ）のような機能を行うことができる。ＰＤＣＰ階層（ネットワーク側上においてｅＮＢ２０で終了）は、ヘッダ圧縮、無欠性保護（ｉｎｔｅｇｒｉｔｙ  ｐｒｏｔｅｃｔｉｏｎ）、及び暗号化のような使用者平面機能を行うことができる。
【００１９】
図３（ｂ）に示すように、ＲＬＣ階層及びＭＡＣ階層（ネットワーク側上においてｅＮＢ２０で終了）は、制御平面のために同じ機能を行うことができる。図示されたように、ＲＲＣ階層（ネットワーク側上においてｅＮＢ２０で終了）は、ブロードキャスティング、ページング、ＲＲＣ連結管理、ＲＢ制御、移動性機能及びＵＥ測定報告並びに制御のような機能を行うことができる。ＮＡＳ制御プロトコル（ネットワーク側上においてゲートウェイ３０のＭＭＥで終了）は、ＳＡＥベアラー管理、認証、ＬＴＥ＿ＩＤＬＥ移動性管理、ＬＴＥ＿ＩＤＬＥでのページング開始、及びゲートウェイとＵＥ１０との間のシグナリングのための保安制御のような機能を行うことができる。
【００２０】
ＲＲＣ状態は、ＲＲＣ＿ＩＤＬＥとＲＲＣ＿ＣＯＮＮＥＣＴＥＤの２個の互いに異なる状態に区分され得る。ＲＲＣ＿ＩＤＬＥ状態で、ＵＥ１０は、ＮＡＳによって構成されたＤＲＸ（ｄｉｓｃｏｎｔｉｎｕｏｕｓ  ｒｅｃｅｐｔｉｏｎ）中に放送されるシステム情報及びページング情報を受信することができる。トラッキング領域でＵＥ１０を唯一に識別するＩＤ（ｉｄｅｎｔｉｆｉｅｒ）がＵＥ１０に割り当てられ得る。ＵＥ１０は、ＰＬＭＮ（ｐｕｂｌｉｃ  ｌａｎｄ  ｍｏｂｉｌｅ  ｎｅｔｗｏｒｋ）選択及びセル再選択（ｃｅｌｌ  ｒｅ−ｓｅｌｅｃｔｉｏｎ）を行うことができる。また、ＲＲＣ＿ＩＤＬＥ状態で、ＲＲＣコンテキスト（ｃｏｎｔｅｘｔ）は、ｅＮＢに格納されない。
【００２１】
ＲＲＣ＿ＣＯＮＮＥＣＴＥＤ状態で、ＵＥ１０は、Ｅ−ＵＴＲＡＮにおいてネットワークにデータを伝送するか、ネットワークからデータを受信することを可能にするＥ−ＵＴＲＡＮ  ＲＲＣ連結及びコンテキストを有する。また、ＵＥ１０は、ｅＮＢ２０にチャネル品質情報（ｃｈａｎｎｅｌ  ｑｕａｌｉｔｙ  ｉｎｆｏｒｍａｔｉｏｎ）及びフィードバック情報を報告することができる。
【００２２】
ＲＲＣ＿ＣＯＮＮＥＣＴＥＤ状態で、Ｅ−ＵＴＲＡＮは、ＵＥ１０が属するセルを分かることができる。したがって、ネットワークは、ＵＥ１０にデータを伝送するか、ＵＥ１０からデートを受信することができる。ネットワークは、ＵＥ１０の移動性（ハンドオーバ及びＮＡＣＣ（ｎｅｔｗｏｒｋ  ａｓｓｉｓｔｅｄ  ｃｅｌｌ  ｃｈａｎｇｅ）を介してＧＥＲＡＮでｉｎｔｅｒ−ＲＡＴ（ｒａｄｉｏ  ａｃｃｅｓｓ  ｔｅｃｈｎｏｌｏｇｙ）セル変更指示）を制御することができる。ネットワークは、隣接セルのために、セル測定を行うことができる。
【００２３】
ＲＲＣ＿ＩＤＬＥ状態で、ＵＥ１０は、ページングＤＲＸ周期を特定する。特に、ＵＥ１０は、特定ページングＤＲＸ周期ごとの特定ページング機会（ｐａｇｉｎｇ  ｏｃｃａｓｉｏｎ）でページング信号をモニタリングする。
【００２４】
ページング機会は、ページング信号が伝送される時間間隔（ｔｉｍｅ  ｉｎｔｅｒｖａｌ）である。ＵＥ１０は、自分のページング機会を有する。
【００２５】
ページングメッセージは、同じトラッキング領域に属する全てのセル上に伝送される。ＵＥ１０が１つのトラッキング領域から他のトラッキング領域へ移動する場合、ＵＥ１０が自分の位置をアップデートするために、ネットワークにトラッキング領域アップデートメッセージを伝送することができる。
【００２６】
図４は、物理階層の構造の一例を示す。
【００２７】
物理階層は、ＵＥとｅＮＢのＬ１との間のシグナリングとデータを伝達する。図４に示すように、物理チャネルは、無線資源を利用してシグナリングとデータを伝達する。無線資源は、周波数で１つ以上の副搬送波を含み、時間で１つ以上のシンボルを含む。
【００２８】
１つのサブフレームは、１ｍｓの長さを有し、複数のシンボルを含む。サブフレームの最初のシンボルのような特定シンボル（等）は、ＰＤＣＣＨ（ｐｈｙｓｉｃａｌ  ｄｏｗｎｌｉｎｋ  ｃｏｎｔｒｏｌ  ｃｈａｎｎｅｌ）のために使用され得る。ＰＤＣＣＨは、ＰＲＢ（ｐｈｙｓｉｃａｌ  ｒｅｓｏｕｒｃｅ  ｂｌｏｃｋ）及びＭＣＳ（ｍｏｄｕｌａｔｉｏｎ  ａｎｄ  ｃｏｄｉｎｇ  ｓｃｈｅｍｅ）のような動的に割り当てられた資源を運ぶ。
【００２９】
伝送チャネルは、Ｌ１とＭＡＣ階層との間のシグナリングとデータを伝達する。物理チャネルは、伝送チャネルにマッピングされる。
【００３０】
ＤＬ伝送チャネルタイプは、ＢＣＨ（ｂｒｏａｄｃａｓｔ  ｃｈａｎｎｅｌ）、ＤＬ−ＳＣＨ（ｄｏｗｎｌｉｎｋ  ｓｈａｒｅｄ  ｃｈａｎｎｅｌ）、ＰＣＨ（ｐａｇｉｎｇ  ｃｈａｎｎｅｌ）、及びＭＣＨ（ｍｕｌｔｉｃａｓｔ  ｃｈａｎｎｅｌ）を含む。ＢＣＨは、システム情報を伝送するために使用される。ＤＬ−ＳＣＨは、ＨＡＲＱを支援する。ＤＬ−ＳＣＨは、変調、コーディング及び伝送パワーを変化させることにより、動的リンク適応（ｄｙｎａｍｉｃ  ｌｉｎｋ  ａｄａｐｔａｔｉｏｎ）を支援する。ＤＬ−ＳＣＨは、動的／半静的（ｓｅｍｉ−ｓｔａｔｉｃ）資源割当を支援する。ＤＬ−ＳＣＨは、さらに全体セル内で放送及びビームフォーミングの使用を可能とすることができる。ＰＣＨは、ＵＥをページングするために使用される。ＭＣＨは、マルチキャストまたは放送サービス伝送のために使用される。
【００３１】
ＵＬ伝送チャネルタイプは、ＵＬ−ＳＣＨ（ｕｐｌｉｎｋ  ｓｈａｒｅｄ  ｃｈａｎｎｅｌ）及びＲＡＣＨ（ｒａｎｄｏｍ  ａｃｃｅｓｓ  ｃｈａｎｎｅｌ）を含む。ＵＬ−ＳＣＨは、ＨＡＲＱを支援する。ＵＬ−ＳＣＨは、伝送パワー及び潜在的に変調、コーディングを変化させることにより、動的リンク適応（ｄｙｎａｍｉｃ  ｌｉｎｋ  ａｄａｐｔａｔｉｏｎ）を支援する。ＵＬ−ＳＣＨは、さらにビームフォーミングの使用を可能とすることができる。ＲＡＣＨは、一般的にセルへの初期接続（ｉｎｉｔｉａｌ  ａｃｃｅｓｓ）のために使用される。
【００３２】
ＭＡＣ副階層（ｓｕｂｌａｙｅｒ）は、論理チャネル上にデータ伝達サービスを提供する。論理チャネルタイプ等の集合は、ＭＡＣにより提供される互いに異なるデータ伝達サービスのために定義される。各論理チャネルタイプは、伝達される情報のタイプによって定義される。
【００３３】
論理チャネルは、一般的に２個のグループに分類される。２個のグループは、制御平面情報の伝達のための制御チャネルと使用者平面情報の伝達のためのトラフィックチャネルである。
【００３４】
制御チャネルは、もっぱら制御平面情報の伝達のために使用される。ＭＡＣによって提供される制御チャネルは、ＢＣＣＨ、ＰＣＣＨ（ｐａｇｉｎｇ  ｃｏｎｔｒｏｌ  ｃｈａｎｎｅｌ）、ＣＣＣＨ（ｃｏｍｍｏｎ  ｃｏｎｔｒｏｌ  ｃｈａｎｎｅｌ）、ＭＣＣＨ（ｍｕｌｔｉｃａｓｔ  ｃｏｎｔｒｏｌ  ｃｈａｎｎｅｌ）、及びＤＣＣＨ（ｄｅｄｉｃａｔｅｄ  ｃｏｎｔｒｏｌ  ｃｈａｎｎｅｌ）を含む。ＢＣＣＨは、システム制御情報を放送するためのＤＬチャネルである。ＰＣＣＨは、ページング情報を伝達するＤＬチャネルであり、ネットワークがＵＥの位置を分からないときに使用される。ＣＣＣＨは、ネットワークとＲＲＣ連結されていないＵＥ等によって使用される。ＭＣＣＨは、ＭＢＭＳ（ｍｕｌｔｉｍｅｄｉａ  ｂｒｏａｄｃａｓｔ／ｍｕｌｔｉｃａｓｔ  ｓｅｒｖｉｃｅ）制御情報をネットワークからＵＥに伝送するために使用される一地点対多地点（ｐｏｉｎｔ−ｔｏ−ｍｕｌｔｉｐｏｉｎｔ）ＤＬチャネルである。ＤＣＣＨは、端末とネットワークとの間の専用（ｄｅｄｉｃａｔｅｄ）制御情報を伝送するＲＲＣ連結を有するＵＥ等によって使用される一地点対多地点双方向（ｂｉ−ｄｉｒｅｃｔｉｏｎａｌ）チャネルである。
【００３５】
トラフィックチャネルは、もっぱら使用者平面情報の伝達のために使用される。ＭＡＣによって提供されるトラフィックチャネルは、ＤＴＣＨ（ｄｅｄｉｃａｔｅｄ  ｔｒａｆｆｉｃ  ｃｈａｎｎｅｌ）及びＭＴＣＨ（ｍｕｌｔｉｃａｓｔ  ｔｒａｆｆｉｃ  ｃｈａｎｎｅｌ）を含む。ＤＴＣＨは、使用者情報の伝達のために、１つのＵＥに専用される点対点チャネルである。ＤＴＣＨは、ＤＬとＵＬの両方に存在することができる。ＭＴＣＨは、ネットワークからＵＥにトラフィックデータを伝送するための一地点対多地点ＤＬチャネルである。
【００３６】
論理チャネルと伝送チャネルとの間のＵＬ連結は、ＵＬ−ＳＣＨにマッピングされ得るＤＣＣＨ、ＵＬ−ＳＣＨにマッピングされ得るＤＴＣＨ、及びＵＬ−ＳＣＨにマッピングされ得るＣＣＣＨを含む。論理チャネルと伝送チャネルとの間のＤＬ連結は、ＢＣＨまたはＤＬ−ＳＣＨにマッピングされ得るＢＣＣＨ、ＰＣＨにマッピングされ得るＰＣＣＨ、ＤＬ−ＳＣＨにマッピングされ得るＤＣＣＨ、ＤＬ−ＳＣＨにマッピングされ得るＤＴＣＨ、ＭＣＨにマッピングされ得るＭＣＣＨ、及びＭＣＨにマッピングされ得るＭＴＣＨを含む。
【００３７】
ＨｅＮＢ（ｈｏｍｅ  ｅＮＢ）について説明する。これは、３ＧＰＰ  ＴＳ  ３６．３００  Ｖ１０．５．０（２０１１−０９）の４．６節を参照することができる。
【００３８】
Ｅ−ＵＴＲＡＮ構造は、拡張可能な多数のＨｅＮＢを支援できるように、ＨｅＮＢとＥＰＣとの間のＳ１インターフェースを許すためのＨｅＮＢゲートウェイ（ＨｅＮＢ  ＧＷ）を導入することができる。ＨｅＮＢ  ＧＷは、制御平面（Ｃ−ｐｌａｎｅ）、特に、Ｓ１−ＭＭＥインターフェースのための集信機（ｃｏｎｃｅｎｔｒａｔｏｒ）で動作する。ＨｅＮＢか等のＳ１−Ｕインターフェースは、ＨｅＮＢ  ＧＷで終了され得る。或いは、ＨｅＮＢとＳ−ＧＷとの間の直接論理使用者平面（Ｕ−ｐｌａｎｅ）連結が使用され得る。
【００３９】
Ｓ１インターフェースは、次のように使用され得る。
【００４０】
・ＨｅＮＢ  ＧＷと核心網との間、
【００４１】
・ＨｅＮＢとＨｅＮＢ  ＧＷとの間、
【００４２】
・ＨｅＮＢと核心網との間、
【００４３】
・ｅＮＢと核心網との間
【００４４】
ＨｅＮＢ  ＧＷは、ＭＭＥにｅＮＢのように見える。ＨｅＮＢ  ＧＷは、ＨｅＮＢにＭＭＥのように見える。ＨｅＮＢとＥＰＣとの間のＳ１インターフェースは、ＨｅＮＢがＥＰＣにＨｅＮＢ  ＧＷを介して連結されたか否かに関係なく、同様である。
【００４５】
ＨｅＮＢ  ＧＷは、ＨｅＮＢ  ＧＷによって提供されるセルへの流入移動（ｉｎｂｏｕｎｄ  ｍｏｂｉｌｉｔｙ）または流出移動（ｏｕｔｂｏｕｎｄ  ｍｏｂｉｌｉｔｙ）がＭＭＥ間（ｉｎｔｅｒ  ＭＭＥ）ハンドオーバを必要としないようにＥＰＣに連結される。１つのＨｅＮＢは、もっぱら１つのセルのみを提供する。
【００４６】
ＨｅＮＢによって支援される機能は、ｅＮＢによって提供される機能（例外的に、ＮＡＳノード選択機能（ＮＮＳＦ；ＮＡＳ  ｎｏｄｅ  ｓｅｌｅｃｔｉｏｎ  ｆｕｎｃｔｉｏｎ）等を除くことが可能）と同様である。また、ＨｅＮＢとＥＰＣとの間に実行される手順もｅＮＢとＥＰＣとの間に実行される手順（例外的に、ローカルＩＰ接続（ＬＩＰＡ；ｌｏｃａｌ  ＩＰ  ａｃｃｅｓｓ）支援の場合、Ｓ５手順等を除くことが可能）と同様である。
【００４７】
図５は、ＨｅＮＢ  ＧＷが配置された全体的なＥ−ＵＴＲＡＮ構造を示す。
【００４８】
図５に示すように、Ｅ−ＵＴＲＡＮは、ｅＮＢ５０、ＨｅＮＢ６０、及びＨｅＮＢ  ＧＷ６９を含む。１つ以上のＥ−ＵＴＲＡＮ  ＭＭＥ／Ｓ−ＧＷ５９がネットワークの最後に位置して、外部ネットワークと連結されることができる。ｅＮＢ５０等は、Ｘ２インターフェースを介して互いに連結される。ｅＮＢ５０は、Ｓ１インターフェースを介してＭＭＥ／Ｓ−ＧＷ５９と連結される。ＨｅＮＢ  ＧＷ６９は、Ｓ１インターフェースを介してＭＭＥ／Ｓ−ＧＷ６９と連結される。ＨｅＮＢ６０は、Ｓ１インターフェースを介してＨｅＮＢ  ＧＷ６９に連結されるか、Ｓ１インターフェースまたはＳ５インターフェースを介してＭＭＥ／Ｓ−ＧＷ５９と連結される。
【００４９】
図５に示すように、ＨｅＮＢ６０等は、Ｘ２インターフェースを介して互いに連結される。どのようなＨｅＮＢ等がハイブリッドモードを支援するとしても、もっぱら同じＣＳＧ（ｃｌｏｓｅｄ  ｓｕｂｓｃｒｉｂｅｒ  ｇｒｏｕｐ）ＩＤを有するＨｅＮＢ等のみが直接Ｘ２インターフェースを有することができる。特定条件を満たす場合、ハンドオーバが直接Ｘ２インターフェースを介して実行され得る。すなわち、ＨｅＮＢ等の間のＸ２基盤ハンドオーバは、ＭＭＥで接続制御が必要でない場合に許されることができる。例えば、同じＣＳＧ  ＩＤを有する閉鎖／ハイブリッド接続ＨｅＮＢ等の間のハンドオーバであるか、ターゲットＨｅＮＢが開放接続ＨｅＮＢである場合に、ＨｅＮＢ等の間のＸ２基盤ハンドオーバが許され得る。
【００５０】
また、ＨｅＮＢとマクロｅＮＢとの間のＸ２ハンドオーバのために、ＨｅＮＢとマクロｅＮＢとの間のＸ２インターフェースが議論されてきた。ＨｅＮＢとマクロｅＮＢとの間に直接Ｘ２インターフェースまたは間接Ｘ２インターフェースが設定され得る。
【００５１】
伝送ネットワーク階層（ＴＮＬ；ｔｒａｎｓｐｏｒｔ  ｎｅｔｗｏｒｋ  ｌａｙｅｒ）アドレス探索（ａｄｄｒｅｓｓ  ｄｉｓｃｏｖｅｒｙ）について説明する。ｅＮＢが候補ｅＮＢのｅＮＢ  ＩＤを知っているが（例えば、ＡＮＲ（ａｕｔｏｍａｔｉｃ  ｎｅｉｇｈｂｏｒ  ｒｅｌａｔｉｏｎ）機能を介して）、ＳＣＴＰ連結のための適したＴＮＬアドレスを知らない場合、ｅＮＢは、ＴＮＬアドレスを決定するために、次のとおりに構成伝達（ｃｏｎｆｉｇｕｒａｔｉｏｎ  ｔｒａｎｓｆｅｒ）機能を使用することができる。
【００５２】
・ｅＮＢは、候補ｅＮＢのＴＮＬアドレスを要請するために、ソース及びターゲットｅＮＢ  ＩＤなどの関連情報を含むｅＮＢ構成伝達メッセージをＭＭＥに伝送する。
【００５３】
・ＭＭＥは、ターゲットｅＮＢ  ＩＤにより識別される候補ｅＮＢにＭＭＥ構成伝達メッセージを伝送することにより、当該要請を中継する。
【００５４】
・候補ｅＮＢは、最初ｅＮＢとのＳＣＴＰ連結のために使用される１つ以上のＴＮＬアドレス及びソースとターゲットｅＮＢ  ＩＤなどの関連情報を含むｅＮＢ構成伝達メッセージを伝送することにより応答する。
【００５５】
・ＭＭＥは、ターゲットｅＮＢ  ＩＤによって識別される最初ｅＮＢにＭＭＥ構成伝達メッセージを伝送することにより、候補のｅＮＢの応答を中継する。
【００５６】
ＨｅＮＢとマクロｅＮＢとの間の効率的なＸ２設定手順のために、ＴＮＬアドレス探索手順が明確に定義される必要がある。
【発明の概要】
【発明が解決しようとする課題】
【００５７】
本発明の技術的課題は、無線通信システムにおいて指示子を伝送する方法及び装置を提供することにある。本発明は、無線通信システムにおいて実際Ｘ２設定（ａｃｔｕａｌ  Ｘ２  ｓｅｔｕｐ）の指示子を伝送する方法を提供する。本発明は、Ｘ２−ゲートウェイ（Ｘ２−ＧＷ）が存在するとき、伝送ネットワーク階層（ＴＮＬ；ｔｒａｎｓｐｏｒｔ  ｎｅｔｗｏｒｋ  ｌａｙｅｒ）アドレス探索手順を行う方法を提供する。
【課題を解決するための手段】
【００５８】
一態様において、無線通信システムでマクロｅＮＢ（ｍａｃｒｏ  ｅＮｏｄｅＢ）による指示子を伝送する方法が提供される。前記方法は、マクロｅＮＢとＨｅＮＢ（ｈｏｍｅ ｅＮＢ）との間の直接Ｘ２インターフェース（ｄｉｒｅｃｔ  Ｘ２  ｉｎｔｅｒｆａｃｅ）が設定されるか、またはＸ２−ゲートウェイ（Ｘ２−ＧＷ）を経る間接Ｘ２インターフェース（ｉｎｄｉｒｅｃｔ  Ｘ２  ｉｎｔｅｒｆａｃｅ）が設定されるかを指示するＸ２設定（Ｘ２  ｓｅｔｕｐ）の指示子をＭＭＥ（ｍｏｂｉｌｉｔｙ  ｍａｎａｇｅｍｅｎｔ  ｅｎｔｉｔｙ）に伝送し、前記Ｘ２設定の指示子によって前記ＨｅＮＢにより決定された伝送ネットワーク階層（ＴＮＬ；ｔｒａｎｓｐｏｒｔ  ｎｅｔｗｏｒｋ  ｌａｙｅｒ）アドレス及びソースｅＮＢ  ＩＤ（ｉｄｅｎｔｉｆｉｅｒ）を前記ＭＭＥから受信することを含む。
【００５９】
前記Ｘ２設定の指示子が、前記マクロｅＮＢと前記ＨｅＮＢとの間に直接Ｘ２インターフェースが設定されることを指示する場合、前記ＨｅＮＢによって決定されたＴＮＬアドレスは、前記ＨｅＮＢのＴＮＬアドレスでありうる。前記ソースｅＮＢ  ＩＤは、前記ＨｅＮＢのＩＤでありうる。
【００６０】
前記Ｘ２設定の指示子が、前記Ｘ２−ＧＷを経る間接Ｘ２インターフェースが設定されることを指示する場合、前記ＨｅＮＢによって決定されたＴＮＬアドレスは、前記Ｘ２−ＧＷのＴＮＬアドレスでありうる。前記ソースｅＮＢ  ＩＤは、前記ＨｅＮＢのＩＤまたは前記Ｘ２−ＧＷのＩＤのうち、いずれか１つでありうる。
【００６１】
前記Ｘ２設定の指示子は、ｅＮＢ構成伝達メッセージ（ｅＮＢ  ｃｏｎｆｉｇｕｒａｔｉｏｎ  ｕｐｄａｔｅ  ｍｅｓｓａｇｅ）を介して伝送され、前記ＴＮＬアドレス及び前記ソースｅＮＢ  ＩＤは、ＭＭＥ構成伝達メッセージ（ＭＭＥ  ｃｏｎｆｉｇｕｒａｔｉｏｎ  ｔｒａｎｓｆｅｒ  ｍｅｓｓａｇｅ）を介して受信されることができる。
【００６２】
他の態様において、無線通信システムでＨｅＮＢ（ｈｏｍｅ  ｅＮｏｄｅＢ）による伝送ネットワーク階層（ＴＮＬ；ｔｒａｎｓｐｏｒｔ  ｎｅｔｗｏｒｋ  ｌａｙｅｒ）アドレスを伝送する方法が提供される。前記方法は、マクロｅＮＢとＨｅＮＢとの間の直接Ｘ２インターフェース（ｄｉｒｅｃｔ  Ｘ２  ｉｎｔｅｒｆａｃｅ）が設定されるか、またはＸ２−ゲートウェイ（Ｘ２−ＧＷ）を経る間接Ｘ２インターフェース（ｉｎｄｉｒｅｃｔ  Ｘ２  ｉｎｔｅｒｆａｃｅ）が設定されるかを指示するＸ２設定（Ｘ２  ｓｅｔｕｐ）の指示子をＨｅＮＢゲートウェイ（ＨｅＮＢ  ＧＷ）から受信し、前記Ｘ２設定の指示子によってＴＮＬアドレス及びソースｅＮＢ  ＩＤ（ｉｄｅｎｔｉｆｉｅｒ）を前記ＨｅＮＢ  ＧＷに伝送することを含む。
【００６３】
他の態様において、無線通信システムで第１のｅＮＢ（ｅＮｏｄｅＢ）による伝送ネットワーク階層（ＴＮＬ；ｔｒａｎｓｐｏｒｔ  ｎｅｔｗｏｒｋ  ｌａｙｅｒ）アドレスを伝送する方法が提供される。前記方法は、ＭＭＥ（ｍｏｂｉｌｉｔｙ  ｍａｎａｇｅｍｅｎｔ  ｅｎｔｉｔｙ）構成伝達メッセージ（ＭＭＥ  ｃｏｎｆｉｇｕｒａｔｉｏｎ  ｔｒａｎｓｆｅｒ  ｍｅｓｓａｇｅ）を受信した後、第１のｅＮＢのＴＮＬアドレスまたはＸ２−ゲートウェイ（Ｘ２−ＧＷ）のＴＮＬアドレスのうち、少なくとも１つ及びソースｅＮＢ  ＩＤ（ｉｄｅｎｔｉｆｉｅｒ）を伝送することを含む。
【００６４】
前記方法は、前記Ｘ２−ＧＷのＴＮＬアドレスのみを伝送されるＴＮＬアドレスとして決定するか、前記第１のｅＮＢのＴＮＬアドレス及び前記Ｘ２−ＧＷのＴＮＬアドレスの両方を伝送されるＴＮＬアドレスとして決定することをさらに含むことができる。
【００６５】
前記ソースｅＮＢ  ＩＤは、前記第１のｅＮＢのＩＤまたは前記Ｘ２−ＧＷのＩＤのうち、いずれか１つに決定されることができる。
【００６６】
前記方法は、前記第１のｅＮＢと第２のｅＮＢとの間の直接Ｘ２インターフェース（ｄｉｒｅｃｔ  Ｘ２  ｉｎｔｅｒｆａｃｅ）が設定されるか、または前記Ｘ２−ＧＷを経る間接Ｘ２インターフェース（ｉｎｄｉｒｅｃｔ  Ｘ２  ｉｎｔｅｒｆａｃｅ）が設定されるかを指示するＸ２設定（Ｘ２  ｓｅｔｕｐ）の指示子を伝送することをさらに含むことができる。前記Ｘ２設定の指示子は、ｅＮＢ構成伝達メッセージ（ｅＮＢ  ｃｏｎｆｉｇｕｒａｔｉｏｎ  ｔｒａｎｓｆｅｒ  ｍｅｓｓａｇｅ）を介して伝送されることができる。
【００６７】
前記少なくとも１つのＴＮＬアドレス及び前記ソースｅＮＢ  ＩＤは、ｅＮＢ構成伝達メッセージを介して伝送されることができる。
【００６８】
前記第１のｅＮＢは、マクロｅＮＢ（ｍａｃｒｏ  ｅＮＢ）でありうる。
【００６９】
前記第１のｅＮＢは、ＨｅＮＢ（ｈｏｍｅ  ｅＮＢ）でありうる。
【発明の効果】
【００７０】
Ｘ２−ＧＷの存在のために発生するＨｅＮＢの移動性向上のためのＸ２連結問題が解決され得る。
【図面の簡単な説明】
【００７１】
【図１】Ｅ−ＵＭＴＳ（ｅｖｏｌｖｅｄ  ＵＭＴＳ）のネットワーク構造を示す。
【図２】一般的なＥ−ＵＴＲＡＮ及びＥＰＣの構造を示す。
【図３】Ｅ−ＵＭＴＳのための使用者平面プロトコルスタックと制御平面プロトコルスタックとを示す。
【図４】物理階層の構造の一例を示す。
【図５】ＨｅＮＢ  ＧＷが配置された全体的なＥ−ＵＴＲＡＮ構造を示す。
【図６】マクロｅＮＢ（ｅＮｏｄｅＢ）とＨｅＮＢ（ｈｏｍｅ  ｅＮＢ）との間のＸ２インターフェース設定の一例を示す。
【図７】本発明の一実施形態に係るＴＮＬアドレス探索手順の一例を示す。
【図８】本発明の一実施形態に係るＴＮＬアドレス探索手順のさらに他の例を示す。
【図９】本発明の一実施形態に係るＴＮＬアドレス探索手順のさらに他の例を示す。
【図１０】本発明の一実施形態に係るＴＮＬアドレス探索手順のさらに他の例を示す。
【図１１】本発明の一実施形態に係るＴＮＬアドレス探索手順のさらに他の例を示す。
【図１２】本発明の一実施形態に係るＴＮＬアドレス探索手順のさらに他の例を示す。
【図１３】本発明の実施形態が実現される無線通信システムのブロック図である。
【発明を実施するための形態】
【００７２】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような様々な無線通信システムに使用され得る。ＣＤＭＡは、ＵＴＲＡ（ｕｎｉｖｅｒｓａｌ  ｔｅｒｒｅｓｔｒｉａｌ  ｒａｄｉｏ  ａｃｃｅｓｓ）やＣＤＭＡ２０００のような無線技術（ｒａｄｉｏ  ｔｅｃｈｎｏｌｏｇｙ）で実現され得る。ＴＤＭＡは、ＧＳＭ（ｇｌｏｂａｌ  ｓｙｓｔｅｍ  ｆｏｒ  ｍｏｂｉｌｅ  ｃｏｍｍｕｎｉｃａｔｉｏｎｓ）／ＧＰＲＳ（ｇｅｎｅｒａｌ  ｐａｃｋｅｔ  ｒａｄｉｏ  ｓｅｒｖｉｃｅ）／ＥＤＧＥ（ｅｎｈａｎｃｅｄ  ｄａｔａ  ｒａｔｅｓ  ｆｏｒ  ＧＳＭ  ｅｖｏｌｕｔｉｏｎ）のような無線技術で実現され得る。ＯＦＤＭＡは、ＩＥＥＥ（ｉｎｓｔｉｔｕｔｅ  ｏｆ  ｅｌｅｃｔｒｉｃａｌ  ａｎｄ  ｅｌｅｃｔｒｏｎｉｃｓ  ｅｎｇｉｎｅｅｒｓ）８０２．１１（Ｗｉ−Ｆｉ）、ＩＥＥＥ８０２．１６（ＷｉＭＡＸ）、ＩＥＥＥ８０２−２０、Ｅ−ＵＴＲＡ（ｅｖｏｌｖｅｄ  ＵＴＲＡ）などのような無線技術で実現され得る。ＩＥＥＥ８０２．１６ｍは、ＩＥＥＥ８０２．１６ｅの進化であり、ＩＥＥＥ８０２．１６ｅに基盤したシステムとの下位互換性（ｂａｃｋｗａｒｄ  ｃｏｍｐａｔｉｂｉｌｉｔｙ）を提供する。ＵＴＲＡは、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）の一部である。３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇ  ｔｅｒｍ  ｅｖｏｌｕｔｉｏｎ）は、Ｅ−ＵＴＲＡ（ｅｖｏｌｖｅｄ−ＵＭＴＳ  ｔｅｒｒｅｓｔｒｉａｌ  ｒａｄｉｏ  ａｃｃｅｓｓ）を使用するＥ−ＵＭＴＳ（ｅｖｏｌｖｅｄ  ＵＭＴＳ）の一部であって、下向きリンクでＯＦＤＭＡを採用し、上向きリンクでＳＣ−ＦＤＭＡを採用する。ＬＴＥ−Ａ（ａｄｖａｎｃｅｄ）は、３ＧＰＰ  ＬＴＥの進化である。
【００７３】
説明を明確にするために、ＬＴＥ−Ａを中心として記述するが、本発明の技術的特徴がこれに制限されるものではない。
【００７４】
図６は、マクロｅＮＢ（ｅＮｏｄｅＢ）とＨｅＮＢ（ｈｏｍｅｅＮＢ）との間のＸ２インターフェース設定の一例を示す。
【００７５】
図６に示すように、Ｅ−ＵＴＲＡＮは、マクロｅＮＢ７０、７１、７２、ＨｅＮＢ８０、８１、８２、８３、ＨｅＮＢゲートウェイ（ＨｅＮＢ  ＧＷ；８９）、及びＸ２−ＧＷ９０を含む。１つ以上のＥ−ＵＴＲＡＮ  ＭＭＥ（ｍｏｂｉｌｉｔｙ  ｍａｎａｇｅｍｅｎｔ  ｅｎｔｉｔｙ）／Ｓ−ＧＷ（ｓｅｒｖｉｎｇ  ｇａｔｅｗａｙ）７９がネットワークの最後に位置して、外部ネットワークと連結されることができる。マクロｅＮＢ７０、７１、７２は、Ｘ２インターフェースを介して互いに連結される。マクロｅＮＢ７０、７１は、Ｓ１インターフェースを介してＭＭＥ／Ｓ−ＧＷ７９と連結される。ＨｅＮＢ  ＧＷ８９は、Ｓ１インターフェースを介してＭＭＥ／Ｓ−ＧＷ７９と連結される。ＨｅＮＢ８１、８３は、Ｓ１インターフェースを介してＨｅＮＢ  ＧＷ８９に連結される。ＨｅＮＢ８２は、Ｓ１インターフェースを介してＭＭＥ／Ｓ−ＧＷ７９と連結される。ＨｅＮＢ８１、８２、８３は、Ｘ２インターフェースを介して互いに連結される。
【００７６】
Ｘ２−ＧＷ９０が追加的に配置される。Ｘ２−ＧＷ９０は、Ｘ２インターフェースを介してＨｅＮＢ１（８１）と連結される。しかし、Ｘ２−ＧＷ９０とＨｅＮＢ３（８３）との間の連結はまだ設定されていない状態である。また、マクロｅＮＢ１（７１）とＸ２−ＧＷ９０との間の連結またはマクロｅＮＢ１（７１）とＨｅＮＢ３（８３）との連結もまだ設定されていない状態である。
【００７７】
マクロｅＮＢとＨｅＮＢとの間にＸ２インターフェースが導入され得る。２つの連結が可能であるが、１つは、ＨｅＮＢとマクロｅＮＢとがＸ２−ＧＷを経て間接的に連結されるものであり（図６の経路「Ａ」）、他の１つは、ＨｅＮＢとマクロｅＮＢとがＸ２インターフェースにより直接連結されるものである（図６の経路「Ｂ」）。図６において説明された構造を基盤として、ＨｅＮＢとマクロｅＮＢとの間のＸ２ハンドオーバがより速く実行され得る。
【００７８】
図６において、マクロｅＮＢ１（７１）とＨｅＮＢ３（８３）との間のＸ２インターフェースがまだ設定されていない状態である。すなわち、直接Ｘ２インターフェースまたはＸ２−ＧＷを経る間接Ｘ２インターフェースがまだ設定されていない状態である。状況に応じて直接Ｘ２インターフェースまたは間接Ｘ２インターフェースのうち、少なくとも１つが設定され得るし、したがって、いくつかの問題が生じる恐れがある。
【００７９】
まず、マクロｅＮＢ１（７１）がＨｅＮＢ３セルからＵＥ  ＡＮＲ報告を通じてＨｅＮＢ３（８３）を発見するシナリオが存在し得る。前記ＵＥ  ＡＮＲ報告を受信したマクロｅＮＢ１（７１）は、Ｘ２設定に必要な条件としてＸ２−ＧＷ９０またはＨｅＮＢ３（８３）のＴＮＬアドレスを得るために、ＴＮＬアドレス探索手順を初期化することができる。したがって、マクロｅＮＢ７１は、ｅＮＢ構成伝達メッセージ（ｅＮＢ  ｃｏｎｆｉｇｕｒａｔｉｏｎ  ｔｒａｎｓｆｅｒ  ｍｅｓｓａｇｅ）を自分のＭＭＥに伝送することができ、ＭＭＥは、ＭＭＥ構成伝達メッセージ（ＭＭＥ  ｃｏｎｆｉｇｕｒａｔｉｏｎ  ｔｒａｎｓｆｅｒ  ｍｅｓｓａｇｅ）を使用して前記ｅＮＢ構成伝達メッセージをＨｅＮＢ  ＧＷ８９にフォワーディングすることができる。上記の２つのメッセージにおいて、ソース及びターゲットｅＮＢ  ＩＤは、各々マクロｅＮＢ１  ＩＤ及びＨｅＮＢ３  ＩＤである。次のステップにおいて、ＨｅＮＢ  ＧＷ８９は、前記ＭＭＥ構成伝達メッセージをＨｅＮＢ３（８３）にフォワーディングすることができる。すると、ＨｅＮＢ３（８３）は、ｅＮＢ構成伝達メッセージを使用して適切なＴＮＬアドレスをＨｅＮＢ  ＧＷ８９に応答することができる。
【００８０】
マクロｅＮＢ１（７１）の観点で、マクロｅＮＢ１（７１）は、Ｘ２設定がマクロｅＮＢ１（７１）とＸ２−ＧＷ９０との間に（間接的に）行われるか、またはマクロｅＮＢ１（７１）とＨｅＮＢ３（８３）との間に（直接的に）行われるかを分かる。しかし、ＨｅＮＢ３（８３）はこれを分からない。すなわち、ＨｅＮＢ３（８３）は、直接Ｘ２インターフェースまたは間接Ｘ２インターフェースが設定されるかが分からず、ＨｅＮＢ３（８３）は、自分のＴＮＬアドレスまたはＸ２−ＧＷ９０のＴＮＬアドレスのうち、いずれがマクロｅＮＢ１（７１）に応答されなければならないかを分かる必要がある。また、Ｘ２−ＧＷ９０とマクロｅＮＢ１（７１）との間の間接Ｘ２インターフェースまたはＨｅＮＢ３（８３）とマクロｅＮＢ１（７１）との間の直接Ｘ２インターフェースのうち、いずれが設定されるかによって、ｅＮＢ構成伝達メッセージ／ＭＭＥ構成伝達メッセージ内のソースＩＤも決定されなければならない。
【００８１】
２番目に、ＨｅＮＢ３（８３）がマクロｅＮＢ１セルからＵＥ  ＡＮＲ報告を通じてマクロｅＮＢ１（７１）を発見するシナリオが存在し得る。前記ＵＥ  ＡＮＲ報告を受信したＨｅＮＢ３（８３）は、Ｘ２設定に必要な条件としてマクロｅＮＢ１（７１）のＴＮＬアドレスを得るために、ＴＮＬアドレス探索手順を初期化することができる。マクロｅＮＢ１（７１）が直接Ｘ２インターフェースが設定されるか、間接Ｘ２インターフェースが設定されるかが分からないので、上記で説明した類似した問題が生じ得る。
【００８２】
３番目に、直接Ｘ２設定が許されないことが可能である。したがって、もっぱらＸ２−ＧＷ９０を経るＸ２設定のみが可能である。このシナリオにおいて、Ｘ２−ＧＷ９０の存在による問題点が依然として発生し得る。
【００８３】
上記において説明された問題点を解決するために、実際Ｘ２設定がマクロｅＮＢとＨｅＮＢとの間に設定されるか、またはマクロｅＮＢと対応するＸ２−ＧＷとの間に設定されるかをＨｅＮＢ３に報知することが重要である。また、上記の３番目のシナリオにおいて、ＨｅＮＢ３の行動が明確に定義される必要がある。したがって、Ｘ２−ＧＷが存在するとき、ＴＮＬアドレス探索手順をよく動作させるために、下記において主なアイディアが提案され得る。
【００８４】
図７は、本発明の一実施形態に係るＴＮＬアドレス探索手順の一例を示す。本実施形態は、マクロｅＮＢ１セルに位置するＵＥがＨｅＮＢ３を発見するシナリオに対応する。
【００８５】
１）マクロｅＮＢがＣＳＧ（ｃｌｏｓｅｄ  ｓｕｂｓｃｒｉｂｅｒ  ｇｒｏｕｐ）を支援する（開放モード、ハイブリッドモード、または閉鎖モード）ＨｅＮＢに向かってＴＮＬアドレス探索手順を初期化するとき、マクロｅＮＢは、対応するＭＭＥに伝送されるｅＮＢ構成伝達メッセージ内にマクロｅＮＢとＨｅＮＢとの間またはマクロｅＮＢと対応するＸ２−ＧＷとの間の実際Ｘ２設定（ａｃｔｕａｌ  Ｘ２  ｓｅｔｕｐ）の指示子を含める。すなわち、前記実際Ｘ２設定の指示子は、直接または間接Ｘ２インターフェースのうち、いずれのＸ２インターフェースが設定されるかを指示する。マクロｅＮＢは、前記実際Ｘ２設定の指示子を含むｅＮＢ構成伝達メッセージをＭＭＥに伝送する。
【００８６】
２）前記ＭＭＥは、マクロｅＮＢとＨｅＮＢとの間またはマクロｅＮＢと対応するＸ２−ＧＷとの間の前記実際Ｘ２設定の指示子をＭＭＥ構成伝達メッセージを介して対応するＨｅＮＢ  ＧＷにフォワーディングすることができる。
【００８７】
３）前記ＨｅＮＢ  ＧＷは、マクロｅＮＢとＨｅＮＢとの間またはマクロｅＮＢと対応するＸ２−ＧＷとの間の前記実際Ｘ２設定の指示子をＭＭＥ構成伝達メッセージを介して対応するＨｅＮＢにフォワーディングすることができる。
【００８８】
４）前記実際Ｘ２設定の指示子を受信したＨｅＮＢは、ＴＮＬアドレス及びソースｅＮＢ  ＩＤ（ｉｄｅｎｔｉｆｉｅｒ）を決定する。前記実際Ｘ２設定の指示子によって、前記ＴＮＬアドレスは、前記ＨｅＮＢ３のＴＮＬアドレスまたは前記Ｘ２−ＧＷのＴＮＬアドレスのうち、いずれか１つでありうる。前記ソースｅＮＢ  ＩＤも、前記実際Ｘ２設定の指示子によって、前記ＨｅＮＢ３のｅＮＢ  ＩＤまたは前記Ｘ２−ＧＷのｅＮＢ  ＩＤのうち、いずれか１つでありうる。より詳細に、前記実際Ｘ２設定の指示子が前記Ｘ２−ＧＷとマクロｅＮＢとの間のＸ２設定、すなわち、間接Ｘ２インターフェースを指示するならば、前記ＨｅＮＢ３は、前記Ｘ２−ＧＷのＴＮＬアドレスを使用し、ソースｅＮＢ  ＩＤは、前記ＨｅＮＢ３のｅＮＢ  ＩＤまたは前記Ｘ２−ＧＷのｅＮＢ  ＩＤのうち、いずれか１つでありうる。前記実際Ｘ２設定の指示子が、前記ＨｅＮＢ３とマクロｅＮＢとの間のＸ２設定、すなわち、直接Ｘ２インターフェースを指示するならば、前記ＨｅＮＢ３は、前記ＨｅＮＢ３のＴＮＬアドレス及びｅＮＢ  ＩＤを使用する。前記ＨｅＮＢ３は、前記ＴＮＬアドレス及びソースｅＮＢ  ＩＤを含むｅＮＢ構成伝達メッセージを使用して前記ＨｅＮＢ  ＧＷ／ＭＭＥに応答することができる。
【００８９】
５）前記ＴＮＬアドレスを前記ＨｅＮＢ３から受信した前記マクロｅＮＢ１は、Ｘ２設定手順を初期化することができる。
【００９０】
図８は、本発明の一実施形態に係るＴＮＬアドレス探索手順のさらに他の例を示す。図８は、図７において説明された本発明の一実施形態に対応する順序図を示す。
【００９１】
ステップＳ１００において、マクロｅＮＢ１は、新しい隣接ＨｅＮＢ３を探す。前記マクロｅＮＢ１のＩＤは１、前記マクロｅＮＢ１のＴＡＩ（ｔｒａｃｋｉｎｇ  ａｒｅａ  ｉｄｅｎｔｉｔｙ）は１であることと仮定する。また、前記ＨｅＮＢ３のＩＤは３、前記ＨｅＮＢ３のＴＡＩは２であることと仮定する。
【００９２】
ステップＳ１１０において、前記マクロｅＮＢ１は、ＭＭＥにｅＮＢ構成伝達メッセージを伝送する。前記ｅＮＢ構成伝達メッセージは、前記マクロｅＮＢ１／ＨｅＮＢ３のｅＮＢ  ＩＤ、前記マクロｅＮＢ１／ＨｅＮＢ３のＴＡＩ、及びＳＯＮ（ｓｅｌｆ−ｏｐｔｉｍｉｚｉｎｇ  ｎｅｔｗｏｒｋ）情報要請を含む。前記ｅＮＢ構成伝達メッセージは、実際Ｘ２設定の指示子をさらに含む。前記実際Ｘ２設定の指示子は、直接または間接Ｘ２インターフェースのうち、いずれが設定されるかを指示する。
【００９３】
ステップＳ１２０において、前記ＭＭＥは、ＨｅＮＢ  ＧＷにＭＭＥ構成伝達メッセージを伝送することにより、前記実際Ｘ２設定の指示子をＨｅＮＢ  ＧＷにフォワーディングする。ステップＳ１３０において、前記ＨｅＮＢ  ＧＷは、前記ＨｅＮＢ３にＭＭＥ構成伝達メッセージを伝送することにより、前記実際Ｘ２設定の指示子を前記ＨｅＮＢ３にフォワーディングする。前記ＭＭＥ構成伝達メッセージは、前記マクロｅＮＢ１／ＨｅＮＢ３のｅＮＢ  ＩＤ、前記マクロｅＮＢ１／ＨｅＮＢ３のＴＡＩ、及びＳＯＮ情報要請を含む。
【００９４】
ステップＳ１４０において、前記実際Ｘ２設定の指示子を受信したＨｅＮＢ３は、ＴＮＬアドレス及びソースｅＮＢ  ＩＤを決定する。前記実際Ｘ２設定の指示子が前記マクロｅＮＢ１とＸ２−ＧＷとの間のＸ２設定を指示するならば、前記ＨｅＮＢ３は、前記Ｘ２−ＧＷのＴＮＬアドレスを使用し、ソースｅＮＢ  ＩＤは、前記ＨｅＮＢ３のｅＮＢ  ＩＤまたは前記Ｘ２−ＧＷのｅＮＢ  ＩＤのうち、いずれか１つでありうる。前記実際Ｘ２設定の指示子が前記マクロｅＮＢ１とＨｅＮＢ３との間のＸ２設定を指示するならば、前記ＨｅＮＢ３は、前記ＨｅＮＢ３のＴＮＬアドレス及び前記ＨｅＮＢ３のｅＮＢ  ＩＤを使用する。
【００９５】
ステップＳ１５０において、前記ＨｅＮＢ３は、前記ＨｅＮＢ  ＧＷにｅＮＢ構成伝達メッセージを伝送する。前記ｅＮＢ構成伝達メッセージは、前記ＨｅＮＢ３により決定されたＴＮＬアドレス及びソースｅＮＢ  ＩＤを含む。
【００９６】
ステップＳ１６０において、前記ＨｅＮＢ  ＧＷは、前記ＭＭＥにｅＮＢ構成伝達メッセージを伝送することにより、前記ＴＮＬアドレス及びソースｅＮＢ  ＩＤを前記ＭＭＥにフォワーディングする。ステップＳ１７０において、前記ＭＭＥは、前記マクロｅＮＢ１にＭＭＥ構成伝達メッセージを伝送することにより、前記ＴＮＬアドレス及びソースｅＮＢ  ＩＤを前記マクロｅＮＢ１にフォワーディングする。
【００９７】
ステップＳ１８０において、前記マクロｅＮＢ１及びＨｅＮＢ  ＧＷは、Ｘ２設定要請／応答メッセージ（Ｘ２  ｓｅｔｕｐ  ｒｅｑｕｅｓｔ／ｒｅｓｐｏｎｓｅ  ｍｅｓｓａｇｅ）を交換する。ステップＳ１９０において、前記ＨｅＮＢ  ＧＷとＨｅＮＢ３とは、Ｘ２設定要請／応答メッセージを交換する。
【００９８】
図９は、本発明の一実施形態に係るＴＮＬアドレス探索手順のさらに他の例を示す。本実施形態は、ＨｅＮＢ３セルに位置するＵＥがマクロｅＮＢ１を発見するシナリオに対応する。Ｘ２−ＧＷのＴＮＬアドレスがマクロｅＮＢ１に予め構成される（ｐｒｅ−ｃｏｎｆｉｇｕｒｅｄ）ことと仮定する。
【００９９】
１）ＨｅＮＢ３がマクロｅＮＢに向かってＴＮＬアドレス探索手順を初期化するとき、ＨｅＮＢ３は、対応するＨｅＮＢ  ＧＷにｅＮＢ構成伝達メッセージを使用してＴＮＬアドレス探索手順を初期化する。
【０１００】
２）前記ＨｅＮＢ  ＧＷは、前記ｅＮＢ構成伝達メッセージをＭＭＥにフォワーディングする。
【０１０１】
３）ＭＭＥは、これをＭＭＥ構成伝達メッセージを利用してマクロｅＮＢ１にフォワーディングする。
【０１０２】
４）前記ＭＭＥ構成伝達メッセージを受信したマクロｅＮＢ１は、ｅＮＢ構成伝達メッセージを利用してＭＭＥに応答するとき、ＴＮＬアドレス及びソースｅＮＢ  ＩＤを決定する。Ｘ２−ＧＷのＴＮＬアドレスがマクロｅＮＢ１に予め構成されたので、前記ＴＮＬアドレスは、Ｘ２−ＧＷのＴＮＬアドレスでありうる。このとき、ソースｅＮＢ  ＩＤは、Ｘ２−ＧＷのＩＤまたはマクロｅＮＢ１  ＩＤでありうる。或いは、前記ＴＮＬアドレスは、マクロｅＮＢ１のＴＮＬアドレスでありうる。このとき、ソースｅＮＢ  ＩＤは、Ｘ２−ＧＷのＩＤまたはマクロｅＮＢ１  ＩＤでありうる。マクロｅＮＢ１は、前記ＴＮＬアドレスとソースｅＮＢ  ＩＤを含むｅＮＢ構成伝達メッセージを利用してＭＭＥに応答することができる。
【０１０３】
追加的に、マクロｅＮＢは、実際Ｘ２設定の指示子をｅＮＢ構成伝達メッセージ内に明示的に含めることができる。したがって、前記実際Ｘ２設定の指示子を受信したＨｅＮＢは、Ｘ２インターフェースがＸ２−ＧＷとともに間接的に設定されるか、またはマクロｅＮＢ１とともに直接設定されるかが分かる。
【０１０４】
図１０は、本発明の一実施形態に係るＴＮＬアドレス探索手順のさらに他の例を示す。図１０は、図９において説明された本発明の一実施形態に対応する順序図を示す。
【０１０５】
ステップＳ２００において、ＨｅＮＢ３は、新しい隣接マクロｅＮＢ１を探す。前記ＨｅＮＢ３のＩＤは３、前記ＨｅＮＢ３のＴＡＩは２であることと仮定する。また、前記マクロｅＮＢ１のＩＤは１、前記マクロｅＮＢ１のＴＡＩは１であることと仮定する。
【０１０６】
ステップＳ２１０において、前記ＨｅＮＢ３は、ＨｅＮＢ  ＧＷにｅＮＢ構成伝達メッセージを伝送する。前記ｅＮＢ構成伝達メッセージは、前記ＨｅＮＢ３／マクロｅＮＢ１のｅＮＢ  ＩＤ、前記ＨｅＮＢ３／マクロｅＮＢ１のＴＡＩ、及びＳＯＮ情報要請を含む。ステップＳ２２０において、前記ＨｅＮＢ  ＧＷは、前記ｅＮＢ構成伝達メッセージをＭＭＥにフォワーディングする。ステップＳ２３０において、前記ＭＭＥは、前記マクロｅＮＢ１にＭＭＥ構成伝達メッセージを伝送することにより、前記ｅＮＢ構成伝達メッセージを前記マクロｅＮＢ１にフォワーディングする。
【０１０７】
ステップＳ２４０において、前記ＭＭＥ構成伝達メッセージを受信したマクロｅＮＢ１は、ＴＮＬアドレス及びソースｅＮＢ  ＩＤを決定する。ＴＮＬアドレスは、前記マクロｅＮＢ１のＴＮＬアドレスまたはＸ２−ＧＷのＴＮＬアドレスのうち、いずれか１つに決定されることができる。前記マクロｅＮＢ１のＴＮＬアドレスは、前記ＨｅＮＢ３とマクロｅＮＢ１との間の直接Ｘ２インターフェースに対応する。前記Ｘ２−ＧＷのＴＮＬアドレスは、前記Ｘ２−ＧＷを経る前記ＨｅＮＢ３とマクロｅＮＢ１との間の間接Ｘ２インターフェースに対応する。また、前記ソースｅＮＢ  ＩＤは、前記マクロｅＮＢ１  ＩＤまたは前記Ｘ２−ＧＷのＩＤのうち、１つに決定されることができる。
【０１０８】
ステップＳ２５０において、前記マクロｅＮＢ１は、前記ＭＭＥにｅＮＢ構成伝達メッセージを伝送する。前記ｅＮＢ構成伝達メッセージは、前記マクロｅＮＢ１により決定されたＴＮＬアドレス及びソースｅＮＢ  ＩＤを含む。また、前記ｅＮＢ構成伝達メッセージは、実際Ｘ２設定の指示子を含むことができる。前記実際Ｘ２設定の指示子は、前記マクロｅＮＢ１により決定されたＴＮＬアドレスによって直接または間接Ｘ２インターフェースのうち、いずれが設定されるかを指示する。
【０１０９】
ステップＳ２６０において、前記ＭＭＥは、前記ＨｅＮＢ  ＧＷにＭＭＥ構成伝達メッセージを伝送することにより、前記ＴＮＬアドレス及びソースｅＮＢ  ＩＤを前記ＨｅＮＢ  ＧＷにフォワーディングする。ステップＳ２７０において、前記ＨｅＮＢ  ＧＷは、前記ＨｅＮＢ３にＭＭＥ構成伝達メッセージを伝送することにより、前記ＴＮＬアドレス及びソースｅＮＢ  ＩＤを前記ＨｅＮＢ３にフォワーディングする。
【０１１０】
図１１は、本発明の一実施形態に係るＴＮＬアドレス探索手順のさらに他の例を示す。本実施形態は、マクロｅＮＢ１セルに位置するＵＥがＨｅＮＢ３を発見するシナリオに対応する。本実施形態は、マクロｅＮＢ１がＴＮＬアドレス探索手順を初期化することを除いては、図１０において説明された実施形態と類似している。Ｘ２−ＧＷのＴＮＬアドレスがＨｅＮＢ３に予め構成されることと仮定する。
【０１１１】
ステップＳ３００において、マクロｅＮＢ１は、新しい隣接ＨｅＮＢ３を探す。前記マクロｅＮＢ１のＩＤは１、前記マクロｅＮＢ１のＴＡＩは１であることと仮定する。また、前記ＨｅＮＢ３のＩＤは３、前記ＨｅＮＢ３のＴＡＩは２であることと仮定する。
【０１１２】
ステップＳ３１０において、前記マクロｅＮＢ１は、ＭＭＥにｅＮＢ構成伝達メッセージを伝送する。前記ｅＮＢ構成伝達メッセージは、前記マクロｅＮＢ１／ＨｅＮＢ３のｅＮＢ  ＩＤ、前記マクロｅＮＢ１／ＨｅＮＢ３のＴＡＩ、及びＳＯＮ情報要請を含む。ステップＳ３２０において、前記ＭＭＥは、ＭＭＥ構成伝達メッセージを伝送することにより、前記ｅＮＢ構成伝達メッセージをＨｅＮＢ  ＧＷにフォワーディングする。ステップＳ３３０において、前記ＨｅＮＢ  ＧＷは、前記ＭＭＥ構成伝達メッセージを前記ＨｅＮＢ３にフォワーディングする。
【０１１３】
ステップＳ３４０において、前記ＭＭＥ構成伝達メッセージを受信したＨｅＮＢ３は、ＴＮＬアドレス及びソースｅＮＢ  ＩＤを決定する。ＴＮＬアドレスは、Ｘ２−ＧＷのＴＮＬアドレスのみに決定されるか、または第１のｅＮＢのＴＮＬアドレス及び前記Ｘ２−ＧＷのＴＮＬアドレスの両方に決定されることができる。前記ＨｅＮＢ３のＴＮＬアドレスは、前記ＨｅＮＢ３とマクロｅＮＢ１との間の直接Ｘ２インターフェースに対応する。前記Ｘ２−ＧＷのＴＮＬアドレスは、前記Ｘ２−ＧＷを経る前記ＨｅＮＢ３とマクロｅＮＢ１との間の間接Ｘ２インターフェースに対応する。また、前記ソースｅＮＢ  ＩＤは、前記ＨｅＮＢ３  ＩＤまたは前記Ｘ２−ＧＷのＩＤのうち、１つに決定されることができる。
【０１１４】
ステップＳ３５０において、前記ＨｅＮＢ３は、前記ＨｅＮＢ  ＧＷにｅＮＢ構成伝達メッセージを伝送する。前記ｅＮＢ構成伝達メッセージは、前記ＨｅＮＢ３により決定されたＴＮＬアドレス及びソースｅＮＢ  ＩＤを含む。また、前記ｅＮＢ構成伝達メッセージは、実際Ｘ２設定の指示子を含むことができる。前記実際Ｘ２設定の指示子は、前記ＨｅＮＢ３により決定されたＴＮＬアドレスによって直接または間接Ｘ２インターフェースのうち、いずれが設定されるかを指示する。或いは、前記実際Ｘ２設定の指示子は、前記Ｘ２−ＧＷのＴＮＬアドレスによって暗示的に表現されることができる。
【０１１５】
ステップＳ３６０において、前記ＨｅＮＢ  ＧＷは、前記ＭＭＥにｅＮＢ構成伝達メッセージを伝送することにより、前記ＴＮＬアドレス及びソースｅＮＢ  ＩＤを前記ＭＭＥにフォワーディングする。ステップＳ３７０において、前記ＭＭＥは、前記マクロｅＮＢ１にＭＭＥ構成伝達メッセージを伝送することにより、前記ＴＮＬアドレス及びソースｅＮＢ  ＩＤを前記マクロｅＮＢ１にフォワーディングする。
【０１１６】
図１２は、本発明の一実施形態に係るＴＮＬアドレス探索手順のさらに他の例を示す。本実施形態は、Ｘ２−ＧＷを経る間接Ｘ２インターフェースのみが可能なシナリオに対応する。
【０１１７】
ステップＳ４００において、マクロｅＮＢ１は、新しい隣接ＨｅＮＢ３を探す。前記マクロｅＮＢ１のＩＤは１、前記マクロｅＮＢ１のＴＡＩは１であることと仮定する。また、前記ＨｅＮＢ３のＩＤは３、前記ＨｅＮＢ３のＴＡＩは２であることと仮定する。
【０１１８】
ステップＳ４１０において、前記マクロｅＮＢ１は、ＭＭＥにｅＮＢ構成伝達メッセージを伝送する。前記ｅＮＢ構成伝達メッセージは、前記マクロｅＮＢ１／ＨｅＮＢ３のｅＮＢ  ＩＤ、前記マクロｅＮＢ１／ＨｅＮＢ３のＴＡＩ、及びＳＯＮ情報要請を含む。前記ｅＮＢ構成伝達メッセージは、実際Ｘ２設定の指示子をさらに含むことができる。前記実際Ｘ２設定の指示子は、前記マクロｅＮＢ１とＸ２−ＧＷとの間の間接Ｘ２インターフェースが設定されることを指示する。
【０１１９】
ステップＳ４２０において、前記ＭＭＥは、ＨｅＮＢ  ＧＷにＭＭＥ構成伝達メッセージを伝送する。ステップＳ４３０において、前記ＨｅＮＢ  ＧＷは、前記ＨｅＮＢ３にＭＭＥ構成伝達メッセージを伝送する。前記ＭＭＥ構成伝達メッセージは、前記マクロｅＮＢ１／ＨｅＮＢ３のｅＮＢ  ＩＤ、前記マクロｅＮＢ１／ＨｅＮＢ３のＴＡＩ、及びＳＯＮ情報要請を含む。前記ＭＭＥ構成伝達メッセージは、前記実際Ｘ２設定の指示子をさらに含むことができる。
【０１２０】
このとき、ステップＳ４４０において、もっぱら間接Ｘ２インターフェースのみが設定されるので、前記ＨｅＮＢ３は、ＴＮＬアドレス及びソースｅＮＢ  ＩＤを決定する必要がない。前記ＨｅＮＢ３は、前記Ｘ２−ＧＷのＴＮＬアドレスを使用し、ソースｅＮＢ  ＩＤは、前記ＨｅＮＢ３のｅＮＢ  ＩＤまたは前記Ｘ２−ＧＷのｅＮＢ  ＩＤのうち、いずれか１つでありうる。
【０１２１】
ステップＳ４５０において、前記ＨｅＮＢ３は、前記ＨｅＮＢ  ＧＷにｅＮＢ構成伝達メッセージを伝送する。前記ｅＮＢ構成伝達メッセージは、前記ＨｅＮＢ３により決定されたＴＮＬアドレス及びソースｅＮＢ  ＩＤを含む。
【０１２２】
ステップＳ４６０において、前記ＨｅＮＢ  ＧＷは、前記ＭＭＥにｅＮＢ構成伝達メッセージを伝送することにより、前記ＴＮＬアドレス及びソースｅＮＢ  ＩＤを前記ＭＭＥにフォワーディングする。ステップＳ４７０において、前記ＭＭＥは、前記マクロｅＮＢ１にＭＭＥ構成伝達メッセージを伝送することにより、前記ＴＮＬアドレス及びソースｅＮＢ  ＩＤを前記マクロｅＮＢ１にフォワーディングする。
【０１２３】
ステップＳ４８０において、前記マクロｅＮＢ１及びＨｅＮＢ  ＧＷは、Ｘ２設定要請／応答メッセージを交換する。ステップＳ４９０において、前記ＨｅＮＢ  ＧＷとＨｅＮＢ３とは、Ｘ２設定要請／応答メッセージを交換する。
【０１２４】
図１３は、本発明の実施形態が実現される無線通信システムのブロック図である。
【０１２５】
ｅＮＢまたはＨｅＮＢ８００は、プロセッサ（ｐｒｏｃｅｓｓｏｒ；８１０）、メモリ（ｍｅｍｏｒｙ；８２０）、及びＲＦ部（ｒａｄｉｏ  ｆｒｅｑｕｅｎｃｙ  ｕｎｉｔ；８３０）を備える。プロセッサ８１０は、本明細書で提案された機能、過程、及び／又は方法を実現するように構成され得る。無線インターフェースプロトコルの階層等は、プロセッサ８１０により実現されることができる。メモリ８２０は、プロセッサ８１０と連結されて、プロセッサ８１０を駆動するための様々な情報を格納する。ＲＦ部８３０は、プロセッサ８１０と連結されて、無線信号を伝送及び／又は受信する。
【０１２６】
ＭＭＥまたはＨｅＮＢ  ＧＷ９００は、プロセッサ９１０、メモリ９２０、及びＲＦ部９３０を備えることができる。プロセッサ９１０は、本明細書で提案された機能、過程、及び／又は方法を実現するように構成されることができる。無線インターフェースプロトコルの階層は、プロセッサ９１０により実現されることができる。メモリ９２０は、プロセッサ９１０と連結されて、プロセッサ９１０を駆動するための様々な情報を格納する。ＲＦ部９３０は、プロセッサ９１０と連結されて、無線信号を伝送及び／又は受信する。
【０１２７】
プロセッサ８１０、９１０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路、及び／又はデータ処理装置を備えることができる。メモリ８２０、９２０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体、及び／又は他の格納装置を備えることができる。ＲＦ部８３０、９３０は、無線周波数信号を処理するためのベースバンド回路を含むことができる。実施形態がソフトウェアで実現されるとき、上述した技法は上述した機能を行うモジュール（過程、機能など）で実現されることができる。モジュールはメモリ８２０、９２０に格納され、プロセッサ８１０、９１０により実行されることができる。メモリ８２０、９２０は、プロセッサ８１０、９１０の内部または外部にありうるし、よく知られた様々な手段でプロセッサ８１０、９１０と連結され得る。
【０１２８】
上述した例示的なシステムにおいて、上述した本発明の特徴によって実現され得る方法は、順序図に基づいて説明された。便宜上、方法は一連のステップまたはブロックとして説明されたが、請求された本発明の特徴は、ステップまたはブロックの順序に限定されるものではなく、あるステップは他のステップと詳述したところとは異なる順序でまたは同時に発生することができる。また、当業者であれば、順序図に示したステップが排他的でなく、他のステップが含まれたり、順序図の１つまたはそれ以上のステップが本発明の範囲に影響を及ぼさずに削除され得ることが理解できるであろう。
【図１】
0005837721.tif 000002
【図２】
0005837721.tif 000003
【図３（ａ）】
0005837721.tif 000004
【図３（ｂ）】
0005837721.tif 000005
【図４】
0005837721.tif 000006
【図５】
0005837721.tif 000007
【図６】
0005837721.tif 000008
【図７】
0005837721.tif 000009
【図８】
0005837721.tif 000010
【図９】
0005837721.tif 000011
【図１０】
0005837721.tif 000012
【図１１】
0005837721.tif 000013
【図１２】
0005837721.tif 000014
【図１３】
0005837721.tif 000015